(57)【要約】【課題】  無線通信における伝送負荷を増大させることなく、電子メールのメッセージ内容に応じた画像を自動的に生成することができる携帯通信端末を提供する。【解決手段】  ２以上の異なる文字列を記憶する文字列記憶部１２と、受信した電子メールのメール本文から文字列記憶部１２に記憶されている文字列を抽出する文字列抽出部９と、文字列記憶部１２に記憶されている文字列に対応付けて２以上の異なるテンプレート画像を記憶するテンプレート画像記憶部１３と、メール本文から抽出された文字列に基づいて構文解析を行い、この解析結果に基づいて文字列記憶部１２に記憶されている文字列の中から特定の文字列を選出し、選出した文字列に対応付けられているテンプレート画像をテンプレート画像記憶部１３から読み出すテンプレート画像選択部１０と、読み出されたテンプレート画像を画面表示するメールキャラクター表示制御部１１により構成される。【選択図】  図１
2006166157.tif 000002
【特許請求の範囲】
【請求項１】
２以上の異なる文字列を記憶する文字列記憶手段と、
受信した電子メールのメール本文から上記文字列記憶手段に記憶されている文字列を抽出する文字列抽出手段と、
上記文字列記憶手段に記憶されている文字列に対応付けて２以上の異なるテンプレート画像を記憶するテンプレート画像記憶手段と、
上記文字列抽出手段により抽出された文字列に基づいて構文解析を行い、この解析結果に基づいて上記文字列記憶手段に記憶されている文字列の中から特定の文字列を選出し、選出した文字列に対応付けられているテンプレート画像を上記テンプレート画像記憶手段から読み出すテンプレート画像選択手段と、
読み出されたテンプレート画像を画面表示するメールキャラクター表示手段とを備えたことを特徴とする携帯通信端末。
【請求項２】
上記メールキャラクター表示手段は、上記特定の文字列を読み出されたテンプレート画像上に貼り付けて画面表示を行うことを特徴とする請求項１に記載の携帯通信端末。
【請求項３】
ユーザによる操作入力に基づいて、読み出されたテンプレート画像内に文字を挿入するテンプレート画像編集手段と、
文字が挿入されたテンプレート画像を新規メールのメール本文として送信するメール送信手段とを備えたことを特徴とする請求項１に記載の携帯通信端末。
【請求項４】
上記文字列記憶手段は、意味付け可能な最小の言語単位としての形態素を文字列として記憶し、
上記文字列抽出手段は、メール本文から形態素を抽出することを特徴とする請求項１に記載の携帯通信端末。
【請求項５】
受信した電子メールのメール本文から２以上の異なる文字列を記憶する文字列記憶手段に記憶されている文字列を抽出する文字列抽出ステップと、
上記文字列記憶手段に記憶されている文字列に対応付けて２以上の異なるテンプレート画像を記憶するテンプレート画像記憶ステップと、
上記メール本文から抽出された文字列に基づいて構文解析を行い、この解析結果に基づいて上記文字列記憶手段に記憶されている文字列の中から特定の文字列を選出し、選出した文字列に対応付けられているテンプレート画像を読み出すテンプレート画像選択ステップと、
読み出されたテンプレート画像を画面表示するメールキャラクター表示ステップとからなることを特徴とするメールキャラクター抽出方法。
【発明の詳細な説明】
【技術分野】
【０００１】
本発明は、携帯通信端末及びメールキャラクター抽出方法に係り、さらに詳しくは、メール本文のメッセージ内容に応じた画像の生成を行う携帯電話機などの携帯通信端末の改良に関する。
【背景技術】
【０００２】
近年、電子メールのメール本文に様々な画像を貼り付けて送信することができる携帯電話機が普及している。この様な携帯電話機では、メール本文が文字だけの電子メールを送受信するものに比べ、電子メールの送受信によるコミュニケーションをより楽しむことができる。しかし、メール送信の際に、ユーザは、メール本文に貼り付ける画像を操作入力によって指定しなければならず、その操作が面倒であった。
【０００３】
そこで、メール本文のメッセージ内容に対応する画像を自動的に生成する技術が提案されている（例えば、特許文献１）。この特許文献１に記載のメール配信システムでは、電子メールの送信元となる携帯端末、又は、無線通信回線を介して送信元端末からの送信メールを受信先へ配信するメールサーバーにおいて、メール本文に含まれる文字列が解析され、メッセージ内容に応じた画像がメール本文に貼り付けられる。その際、予め記憶された画像の中から文字列に対応する画像が貼付用の画像として自動的に読み出されるので、ユーザは送信メールに貼り付ける画像を指定する必要がなく、メール送信の際の操作性が向上する。
【特許文献１】特開２００２−５５９３３号公報
【発明の開示】
【発明が解決しようとする課題】
【０００４】
上述した様な従来のメール配信システムでは、画像貼付後の送信メールを無線通信回線を介して受信先端末へ伝送する必要があることから、無線通信における伝送負荷が大きくなってしまうという問題があった。
【０００５】
本発明は、上記事情に鑑みてなされたものであり、無線通信における伝送負荷を増大させることなく、電子メールのメッセージ内容に応じた画像を自動的に生成することができる携帯通信端末及びメールキャラクター抽出方法を提供することを目的としている。特に、受信メールのメール本文から抽出された文字列に基づいて画像を生成する携帯通信端末を提供することを目的としている。
【課題を解決するための手段】
【０００６】
本発明による携帯通信端末は、２以上の異なる文字列を記憶する文字列記憶手段と、受信した電子メールのメール本文から上記文字列記憶手段に記憶されている文字列を抽出する文字列抽出手段と、上記文字列記憶手段に記憶されている文字列に対応付けて２以上の異なるテンプレート画像を記憶するテンプレート画像記憶手段と、上記文字列抽出手段により抽出された文字列に基づいて構文解析を行い、この解析結果に基づいて上記文字列記憶手段に記憶されている文字列の中から特定の文字列を選出し、選出した文字列に対応付けられているテンプレート画像を上記テンプレート画像記憶手段から読み出すテンプレート画像選択手段と、読み出されたテンプレート画像を画面表示するメールキャラクター表示手段とを備えて構成される。
【０００７】
この様な構成により、文字列記憶手段に記憶されている文字列の中から特定の文字列が選出され、当該文字列に対応付けられたテンプレート画像が画面表示される。その際、受信した電子メールのメール本文から抽出された文字列に基づく構文解析によって上記特定の文字列が選出されるので、無線通信における伝送負荷を増大させることなく、メール本文のメッセージ内容に応じた画像を自動的に生成することができる。
【０００８】
本発明による携帯通信端末は、上記構成に加え、上記メールキャラクター表示手段が、上記特定の文字列を読み出されたテンプレート画像上に貼り付けて画面表示を行うように構成される。この様な構成によれば、複数の異なる文字列に１つのテンプレート画像が対応付けられている場合であっても、構文解析によって選出された特定の文字列を貼り付けてテンプレート画像の画面表示が行われるので、電子メールの受信者は、メール本文を読まなくても、メール本文の概要を上記テンプレート画像によって容易に判別することができる。
【０００９】
また、本発明による携帯通信端末は、上記構成に加え、ユーザによる操作入力に基づいて、読み出されたテンプレート画像内に文字を挿入するテンプレート画像編集手段と、文字が挿入されたテンプレート画像を新規メールのメール本文として送信するメール送信手段とを備えて構成される。
【００１０】
また、本発明による携帯通信端末は、上記構成に加え、上記文字列記憶手段が、意味付け可能な最小の言語単位としての形態素を文字列として記憶し、上記文字列抽出手段が、メール本文から形態素を抽出するように構成される。
【００１１】
本発明によるメールキャラクター抽出方法は、受信した電子メールのメール本文から２以上の異なる文字列を記憶する文字列記憶手段に記憶されている文字列を抽出する文字列抽出ステップと、上記文字列記憶手段に記憶されている文字列に対応付けて２以上の異なるテンプレート画像を記憶するテンプレート画像記憶ステップと、上記メール本文から抽出された文字列に基づいて構文解析を行い、この解析結果に基づいて上記文字列記憶手段に記憶されている文字列の中から特定の文字列を選出し、選出した文字列に対応付けられているテンプレート画像を読み出すテンプレート画像選択ステップと、読み出されたテンプレート画像を画面表示するメールキャラクター表示ステップとからなる。
【発明の効果】
【００１２】
本発明による携帯通信端末及びメールキャラクター抽出方法によれば、受信した電子メールのメール本文から抽出された文字列に基づく構文解析によって特定の文字列が選出され、当該文字列に対応付けられたテンプレート画像が画面表示されるので、無線通信における伝送負荷を増大させることなく、メール本文のメッセージ内容に応じた画像を自動的に生成することができる。
【発明を実施するための最良の形態】
【００１３】
実施の形態１．
図１は、本発明の実施の形態１による携帯通信端末の一構成例を示したブロック図であり、受信メールのメッセージ内容に応じたテンプレート画像を指定して画面表示する携帯電話機１が示されている。本実施の形態による携帯電話機１は、受信した電子メール（以下、受信メールという）のメール本文から抽出された文字列に基づいてテンプレート画像を指定する動作を行っている。
【００１４】
この携帯電話機１は、主制御部２、移動体無線通信部３、操作入力制御部４、ＬＣＤ５、テンプレート画像編集制御部６、メール送信制御部７、メール記憶部８、文字列抽出部９、テンプレート画像選択部１０、メールキャラクター表示制御部１１、文字列記憶部１２及びテンプレート画像記憶部１３からなる。
【００１５】
移動体無線通信部３は、移動体通信に関する通信データの送受信処理を行っており、基地局との間で音声信号や電子メールがアンテナ３ａを介して伝送される。操作入力制御部４は、操作キー４ａの操作に関する入力制御を行っている。ＬＣＤ（Liquid Crystal Display：液晶ディスプレイ）５は、表示画面を有する液晶パネルからなる表示手段であり、メール閲覧画面やメニュー画面、メール編集画面などが表示される。メール記憶部８は、電子メールを書き換え可能に記憶する不揮発性の半導体メモリであり、受信メールやユーザの操作入力によって作成された電子メールがメールごとに格納される。
【００１６】
文字列記憶部１２は、構文解析用に多数の文字列を記憶する不揮発性の半導体メモリであり、ここでは、様々な形態素が文字列として格納されている。この形態素は、意味付け可能な最小の言語単位であり、語の中で活用形に応じて変化しない部分となっている。
【００１７】
例えば、文章「来られないようだが」においては、「来」、「られ」、「ない」、「よう」、「だ」、「が」がいずれも形態素としての文字列となる。この様な文字列が言語情報とともに格納されている。言語情報としては、動詞、助動詞、助詞、名詞などの品詞情報や、活用種別、基本形などの活用形情報がある。具体的には、「来」に対し、品詞情報として「動詞」、活用種別として「カ変」、基本形として「来る」が格納される。また、「られ」に対し、品詞情報として「助動詞」、活用種別として「下一段」、基本形として「られる」が格納される。
【００１８】
文字列抽出部９は、受信メールのメール本文について構文解析するために、メール本文から文字列記憶部１２に記憶されている文字列、すなわち、形態素を抽出する動作を行っている。文字列の抽出は、例えば、受信メールの閲覧画面表示中におけるユーザの操作入力に基づいて開始される。
【００１９】
テンプレート画像記憶部１３は、様々な画面表示用の画像データをテンプレート画像として記憶する不揮発性の半導体メモリである。各テンプレート画像は、文字列記憶部１２に記憶されている文字列に対応付けて格納されている。具体的には、２以上の異なるテンプレート画像と、文字列及びテンプレート画像の対応関係からなる対応付けテーブルが格納されている。ここでは、テンプレート画像内に所定の文字列が予め挿入されているものとする。この様なテンプレート画像を意味付け可能な最小の言語単位としての文字列、すなわち、形態素に対応付けて記憶させることにより、活用形に応じて変化する文字列ごとに記憶させるのに比べて、１つのテンプレート画像に対応させる文字列が減少するので、記憶量を抑制することができる。
【００２０】
テンプレート画像選択部１０は、メール本文のメッセージ内容に応じたテンプレート画像を選択する動作を行っている。このテンプレート画像の選択は、文字列抽出部９によってメール本文から抽出された文字列に基づいて行われ、テンプレート画像記憶部１３から特定のテンプレート画像が読み出される。
【００２１】
具体的には、メール本文から抽出された文字列によってメール本文についての構文解析が行われ、この解析結果に基づいて文字列記憶部１２に記憶されている文字列の中から特定の文字列が選出される。そして、選出された特定の文字列に対応付けられているテンプレート画像が解析結果として出力される。なお、特定の文字列の選出が困難である場合や、選出された文字列に対応付けられているテンプレート画像が存在しない場合には、予め用意された画像がテンプレート画像として読み出される。
【００２２】
メールキャラクター表示制御部１１は、テンプレート画像の画面表示に関する制御を行っており、テンプレート画像選択部１０によって読み出されたテンプレート画像をＬＣＤ５における表示画面上に表示させる。メール本文のメッセージ内容に応じたテンプレート画像を画面表示することにより、ユーザは、メール本文を読まなくても、メール本文の概要を画像によって容易に判別することができる。ここでは、この様なメール本文の概要をメールキャラクターと呼ぶことにする。つまり、受信メールのメールキャラクターがテンプレート画像によって表される。
【００２３】
テンプレート画像編集制御部６は、テンプレート画像内に文字を挿入する動作を行っている。テンプレート画像選択部１０によって読み出されたテンプレート画像は、ユーザによる操作入力に基づいて編集可能となっており、画像内に挿入されている文字列を編集画面上で編集し、新たに文字を挿入することができる。すなわち、テンプレート画像内に予め挿入されている文字列を削除したり、新たに文字列を追加することができる。また、テンプレート画像内の文字列に装飾（デコレーション）を施すことができる。例えば、文字サイズや文字の表示色、背景色、表示位置を変更したり、文字を点滅表示させたり、文字列を字幕表示やスウィング表示させることができる。
【００２４】
メール送信制御部７は、画面表示されたテンプレート画像を新規メールのメール本文として送信する動作を行っている。すなわち、テンプレート画像選択部１０によって読み出されたテンプレート画像、又は、テンプレート画像編集制御部６による編集後のテンプレート画像は、ユーザによる操作入力に基づいて送信先へ送信することができる。具体的には、テンプレート画像選択の元となった受信メールの送信元を新規メールの送信先に指定して当該新規メールを送信（返信）することができる。ここでは、この様なメール本文にテンプレート画像を有する電子メールをキャラクターメールと呼ぶことにする。
【００２５】
図２（ａ）及び（ｂ）は、図１の携帯電話機の要部における構成例を示した図である。図２（ａ）には、テンプレート画像記憶部１３内に格納されている対応付けテーブル２１が示され、図２（ｂ）には、所定の記憶領域２２内に格納されているテンプレート画像が示されている。意味が同一であるか、或いは、似通っている文字列には、共通のテンプレート画像が対応付けられる。例えば、「文字列１」〜「文字列３」には、共通のテンプレート画像（画像１）が対応付けられ、「文字列４」及び「文字列５」には、共通のテンプレート画像（画像２）が対応付けられている。
【００２６】
具体的には、「文字列１」として「空腹」、「すきばら」及び「食事時」に１つのテンプレート画像（画像１）が対応付けられ、「文字列２」として「おはよう」及び「グッドモーニング」に１つのテンプレート画像（画像２）が対応付けられている。
【００２７】
図３は、図１の携帯電話機における表示画面の一例を示した図であり、受信メールのメール閲覧画面２３の様子が示されている。このメール閲覧画面２３は、ピクト表示領域２４、タイトル表示領域２５及びメール本文表示領域２６からなる。ピクト表示領域２４は、電波の受信状態や内蔵電池の残容量が絵文字（ピクトグラム）によって表示される帯状の表示領域である。
【００２８】
タイトル表示領域２５には、動作状態や処理対象が文字表示される。メール本文表示領域２６には、受信メールのメール本文、返信キー２７及びメニューキー２８が表示される。例えば、メール本文として「おはようございます。今日も一日がんばりましょう。」が表示される。
【００２９】
この様なメール閲覧画面２３の表示中にメニューキー２８を操作し、メニュー画面上でメールキャラクターの抽出を指定することによって、当該メール本文のメッセージ内容に応じたテンプレート画像を自動的に画面表示させることができる。なお、返信キー２７を操作すれば、受信メールのメール編集画面に移行し、当該受信メールの送信元を送信先に指定して送信することができる。
【００３０】
図４は、図１の携帯電話機における文字列抽出動作の一例を示した図であり、文字列抽出部９によってメール本文から一時記憶メモリ２９上に抽出された文字列Ａ１〜Ａ３が示されている。上記メール本文「おはようございます。今日も一日がんばりましょう。」については、文字列「おはよう」、「ござい」、「ます」、「。」、「今日」、「も」、「一日」、「がんばり」、「ましょう」及び「。」が文字列抽出部９内の一時記憶メモリ２９上に抽出される。
【００３１】
テンプレート画像選択部１０は、この様にして抽出された文字列に基づく構文解析によって特定の文字列を選出する。ここでは、メッセージ内容を特徴付ける文字列「おはよう」が選出され、当該文字列に対応付けられているテンプレート画像が読み出されるものとする。また、例えば、「今日は晴れてないね。」というメッセージについては、文中の文字列「晴れ」及び「ない」に着目して「曇り」又は「雨」という文字列が選出される。「曇り」又は「雨」のいずれの文字列を選出するかは、予め定められるものとする。
【００３２】
図５は、図１の携帯電話機における表示画面の一例を示した図であり、メール本文のメッセージ内容に応じて選択されたテンプレート画像３３を表示するキャラクターメール閲覧画面３１が示されている。このキャラクターメール閲覧画面３１では、テンプレート画像選択部１０によって読み出されたテンプレート画像３３がメール本文表示領域３２内に表示されている。なお、この例では、テンプレート画像３３内に文字列「おはよう！！」が挿入されている。
【００３３】
メール本文のメッセージ内容に応じたテンプレート画像が画面表示されるので、ユーザは、受信メールのメール本文を読まなくても、キャラクターメール閲覧画面３１を閲覧するだけで、メッセージ内容を画像によって容易に認識することができ、利便性が向上する。
【００３４】
この様なキャラクターメール閲覧画面３１の表示中にメニューキー２８を操作し、メニュー画面上でテンプレート画像の編集を指定することによって、当該テンプレート画像内に挿入されている文字列を編集するためのテンプレート画像編集画面に移行させることができる。
【００３５】
図６は、図１の携帯電話機における表示画面の一例を示した図であり、テンプレート画像編集画面３４が示されている。ユーザは、テンプレート画像編集画面３４上でテンプレート画像３３内に予め挿入されている文字列を編集することができる。この場合、新たに入力された文字は、テンプレート画像３３内におけるカーソル位置に挿入される。編集後のテンプレート画像３３は、決定キー３５を操作することによって、メール本文として送信することができる。
【００３６】
図７のステップＳ１０１〜Ｓ１０５は、図１の携帯電話機におけるメールキャラクター抽出動作の一例を示したフローチャートである。まず、文字列抽出部９は、受信メールのメール閲覧画面２３表示中におけるユーザの操作入力によって、メール本文からの文字列の抽出を開始する（ステップＳ１０１）。
【００３７】
次に、テンプレート画像選択部１０は、メール本文から抽出された文字列によって構文解析を行い、特定の文字列を選出する（ステップＳ１０２，Ｓ１０３）。文字列が選出されれば、当該文字列に対応付けられているテンプレート画像が読み出され、画面上にキャラクターメールとして表示される（ステップＳ１０４，Ｓ１０５）。
【００３８】
本実施の形態によれば、文字列記憶部１２に記憶されている文字列の中から特定の文字列が選出され、当該文字列に対応付けられたテンプレート画像が画面表示される。その際、受信メールのメール本文から抽出された文字列に基づく構文解析によって上記特定の文字列が選出されるので、無線通信における伝送負荷を増大させることなく、メール本文のメッセージ内容に応じた画像を自動的に生成することができる。
【００３９】
実施の形態２．
実施の形態１では、テンプレート画像内に文字列が予め挿入されている場合の例について説明した。これに対し、本実施の形態では、構文解析によって選出された特定の文字列をテンプレート画像上に貼り付けて画面表示する場合について説明する。
【００４０】
図８は、本発明の実施の形態２による携帯通信端末における要部の構成例を示した図であり、記憶領域４１内に格納されているテンプレート画像４２ａ〜４２ｄが示されている。各テンプレート画像４２ａ〜４２ｄは、図２（ｂ）のテンプレート画像と比較すれば、画像内に文字列は挿入されておらず、画像データのみの構成となっている。
【００４１】
図９（ａ）及び（ｂ）は、図８の携帯通信端末におけるキャラクターメール閲覧画面３１の一例を２つの異なる受信メールについてそれぞれ示した図である。図９（ａ）には、一方の受信メールに基づく構文解析によって選出された文字列「おっはー」がテンプレート画像４２ｂ内に貼り付けられている様子が示され、図９（ｂ）には、他方の受信メールに基づく構文解析によって選出された文字列「グッドモーニング」がテンプレート画像４２ｂ内に貼り付けられている様子が示されている。
【００４２】
本実施の形態によれば、複数の異なる文字列に１つのテンプレート画像が対応付けられている場合であっても、構文解析によって選出された特定の文字列を貼り付けてテンプレート画像の画面表示が行われるので、ユーザは、メール本文を閲覧しなくても、受信メールのメッセージ内容をキャラクターメール閲覧画面３１上のテンプレート画像４２ｂによって正しく識別することができる。
【図面の簡単な説明】
【００４３】
【図１】本発明の実施の形態１による携帯通信端末の一構成例を示したブロック図であり、テンプレート画像を指定して画面表示する携帯電話機１が示されている。
【図２】図１の携帯電話機の要部における構成例を示した図である。
【図３】図１の携帯電話機における表示画面の一例を示した図であり、受信メールのメール閲覧画面２３の様子が示されている。
【図４】図１の携帯電話機における文字列抽出動作の一例を示した図であり、メール本文から一時記憶メモリ２９上に抽出された文字列Ａ１〜Ａ３が示されている。
【図５】図１の携帯電話機における表示画面の一例を示した図であり、テンプレート画像３３を表示するキャラクターメール閲覧画面３１が示されている。
【図６】図１の携帯電話機における表示画面の一例を示した図であり、テンプレート画像編集画面３４が示されている。
【図７】図１の携帯電話機におけるメールキャラクター抽出動作の一例を示したフローチャートである。
【図８】本発明の実施の形態２による携帯通信端末における要部の構成例を示した図であり、記憶領域４１内に格納されているテンプレート画像４２ａ〜４２ｄが示されている。
【図９】図８の携帯通信端末におけるキャラクターメール閲覧画面３１の一例を２つの異なる受信メールについてそれぞれ示した図である。
【符号の説明】
【００４４】
１  携帯電話機
２  主制御部
３  移動体無線通信部
４  操作入力制御部
５  ＬＣＤ
６  テンプレート画像編集制御部
７  メール送信制御部
８  メール記憶部
９  文字列抽出部
１０  テンプレート画像選択部
１１  メールキャラクター表示制御部
１２  文字列記憶部
１３  テンプレート画像記憶部
２３  メール閲覧画面
３１  キャラクターメール閲覧画面
３３  テンプレート画像
３４  テンプレート画像編集画面
【図１】
2006166157.tif 000003
【図２】
2006166157.tif 000004
【図３】
2006166157.tif 000005
【図４】
2006166157.tif 000006
【図５】
2006166157.tif 000007
【図６】
2006166157.tif 000008
【図７】
2006166157.tif 000009
【図８】
2006166157.tif 000010
【図９】
2006166157.tif 000011